(57)【要約】【課題】  画像データの最小限の変換でカラーシーケンシャルディスプレイ方式を適用することができるディスプレイ装置及びその制御方法を提供する。【解決手段】  液晶パネルと、外部から入力される一つのフレームに該当する画像データを各色相別に分離し、分離された画像データを各色相別に順次に整列して複数のサブフレームを形成する画像データ整列部と、整列された各色相別画像データを前記サブフレーム別に前記液晶パネルに順次に印加するデータドライバと、前記液晶パネルに少なくとも２つ以上の互いに異なる色相の光を一つのフレームを周期として順次に供給する光源部とを有する。【選択図】      図２
2007079566.tif 000002
【特許請求の範囲】
【請求項１】
液晶パネルと、
外部から入力される一つのフレームに該当する画像データを各色相別に分離し、分離された画像データを各色相別に順次に整列して複数のサブフレームを形成する画像データ整列部と、
整列された各色相別画像データを前記サブフレーム別に前記液晶パネルに順次に印加するデータドライバと、
前記液晶パネルに少なくとも２つ以上の互いに異なる色相の光を一つのフレームを周期として順次に供給する光源部とを有することを特徴とするディスプレイ装置。
【請求項２】
一つのフレームを構成する複数の前記サブフレームを順次に保存するメモリをさらに有することを特徴とする請求項１に記載のディスプレイ装置。
【請求項３】
前記メモリは一対で備えられており、一つのフレームに該当する画像データは、一対の前記メモリに交互に保存されることを特徴とする請求項２に記載のディスプレイ装置。
【請求項４】
前記サブフレームの個数は、前記光源部が供給する光の個数と同一であることを特徴とする請求項１に記載のディスプレイ装置。
【請求項５】
前記サブフレームの個数は３つであることを特徴とする請求項１に記載のディスプレイ装置。
【請求項６】
前記光源部は、赤色光、緑色光、及び青色光を供給することを特徴とする請求項１に記載のディスプレイ装置。
【請求項７】
前記液晶パネルは、行列状に配列される複数の画素と、
少なくとも２つ以上の行に配列された前記画素に同一のゲート信号を印加する複数のゲート線と、
前記ゲート線と交差して形成される複数のデータ線と、
前記ゲート線と前記データ線との交差点に形成される薄膜トランジスタとを含むことを特徴とする請求項１に記載のディスプレイ装置。
【請求項８】
前記画素に前記同一のゲート信号を印加する前記複数のゲート線は互いに連結されていることを特徴とする請求項７に記載のディスプレイ装置。
【請求項９】
前記同一のゲート信号が印加される前記画素の行数は３つであることを特徴とする請求項７に記載のディスプレイ装置。
【請求項１０】
一つの前記画素には複数のデータ線が備えられることを特徴とする請求項７に記載のディスプレイ装置。
【請求項１１】
前記データ線は、前記画素に同一のゲート信号が印加される前記画素の数だけ備えられることを特徴とする請求項１０に記載のディスプレイ装置。
【請求項１２】
同一のゲート信号が印加される前記データ線の延長方向に隣接した前記画素は、互いに異なるデータ線に連結されることを特徴とする請求項１０に記載のディスプレイ装置。
【請求項１３】
行列状に配列される複数の画素と、少なくとも２つ以上の行に配列される前記画素に同一のゲート信号を印加する複数のゲート線と、前記ゲート線と交差して形成される複数のデータ線とを含む液晶パネルと、
外部から入力される一つのフレームに該当する画像データを各色相別に分離し、分離された画像データを各色相別に順次に整列して複数のサブフレームを形成する画像データ整列部と、
整列された各色相別画像データを前記サブフレーム別に前記画素に順次に印加するデータドライバと、
前記液晶パネルに少なくとも２つ以上の互いに異なる色相の光を一つのフレームを周期として順次に供給する光源部とを有することを特徴とするディスプレイ装置。
【請求項１４】
前記画素に前記同一のゲート信号を印加する前記複数のゲート線は互いに連結されていることを特徴とする請求項１３に記載のディスプレイ装置。
【請求項１５】
外部から入力される一つのフレームに該当する画像データを各色相別に分離する段階と、
分離された画像データを各色相別に順次に整列して保存する段階と、
保存された画像データを各色相別に液晶パネルに順次に印加しながら、互いに異なる色相の光を一つのフレームを周期として順次に供給する段階とを有することを特徴とするディスプレイ装置の制御方法。
【発明の詳細な説明】
【技術分野】
【０００１】
本発明はディスプレイ装置及びその制御方法に係り、より詳しくはフィールドシーケンシャルカラー（ｆｉｅｌｄ  ｓｅｑｕｅｎｔｉａｌ  ｃｏｌｏｒ：  ＦＳＣ）方式またはカラーシーケンシャルディスプレイ（ｃｏｌｏｒ  ｓｅｑｕｅｎｔｉａｌ  ｄｉｓｐｌａｙ：  ＣＳＤ）方式で駆動されるディスプレイ装置及びその制御方法に関する。
【背景技術】
【０００２】
ディスプレイ装置の中で、最近、最も広く使用される液晶表示装置は、薄膜トランジスタが形成されている薄膜トランジスタ基板と、カラーフィルタ層が形成されているカラーフィルタ基板とで構成された液晶パネルを含み、薄膜トランジスタ基板とカラーフィルタ基板との間には液晶層が位置している。
一般的に、液晶表示装置の大部分は、カラーフィルタ基板にレッド（Ｒ）、グリーン（Ｇ）、ブルー（Ｂ）の３原色からなるカラーフィルタ層を形成し、このカラーフィルタ層を透過する光量を調節することによって所望のカラーをディスプレイする。液晶表示装置は光源から照射される白色光をＲ、Ｇ、Ｂカラーフィルタ層に透過させることによって、Ｒ、Ｇ、Ｂカラーフィルタ層を透過する光の量を調節してＲ、Ｇ、Ｂ色を合成することによって、所望のカラーをディスプレイする。
【０００３】
最近では、従来の一つのピクセルにＲ、Ｇ、Ｂ各色の独立した光源を順次周期的に点灯し、その点灯周期に同期して各画素に対応する色信号を加えることによって、フルカラーの画像を得ることができる３色光源を用いるフィールドシーケンシャルカラー方式またはカラーシーケンシャルディスプレイ方式の液晶表示装置が提案された。このような方式は、ピクセルをサブピクセルに分けないので、開口率及び収率の向上が容易であり、サブピクセルごとに要した駆動回路の数を１／３に減らすことができる長所がある。
【０００４】
しかし、カラーシーケンシャルディスプレイ方式のディスプレイ装置に適用されるデータ変換方式は、既存の枠を超えていない。光源部で提供する光の色相に拘わらずＲＧＢ画像データをライン別に走査するか、または入力されるＲＧＢ画像データから各色相別にＲＧＢを抽出する段階を経った後、液晶パネルに印加する方式を採用している。前者の場合、所望の画像をきちんと実現できないという問題点があり、後者の場合、ＲＧＢ画像信号を分離するデータ処理過程に対する負担及び各色相別データを走査するための早いスイッチングが要求されるという問題点がある。
【発明の開示】
【発明が解決しようとする課題】
【０００５】
そこで、本発明は上記従来のディスプレイ装置及びその制御方法における問題点に鑑みてなされたものであって、本発明の目的は、画像データの最小限の変換でカラーシーケンシャルディスプレイ方式を適用することができるディスプレイ装置及びその制御方法を提供することにある。
【課題を解決するための手段】
【０００６】
上記目的を達成するためになされた本発明によるディスプレイ装置は、液晶パネルと、外部から入力される一つのフレームに該当する画像データを各色相別に分離し、分離された画像データを各色相別に順次に整列して複数のサブフレームを形成する画像データ整列部と、整列された各色相別画像データを前記サブフレーム別に前記液晶パネルに順次に印加するデータドライバと、前記液晶パネルに少なくとも２つ以上の互いに異なる色相の光を一つのフレームを周期として順次に供給する光源部とを有することを特徴とする。
【０００７】
一つのフレームを構成する複数の前記サブフレームを順次に保存するメモリをさらに含み、この場合、前記メモリは一対で備えられることが好ましい。一つのフレームに該当する画像データは一対の前記メモリに交互的に保存され、それぞれ交互に液晶パネルに印加される。つまり、一つのメモリにある画像データが液晶パネルに印加される場合、他のメモリに一つのフレームに該当する画像データが整列される。このように２つのメモリを使用することによって、データ変換及びデータの走査が容易になる。
【０００８】
前記サブフレームの個数は、前記光源部が供給する光の個数と同一であり、例えば、前記サブフレームの個数が３つであれば、前記光源部は、赤色光、緑色光及び青色光を供給することが好ましい。サブフレームの数によって光源部が供給する光の色相が決定される。光源部はシアン、マゼンタ及びイエローの光を提供することもできる。
前記液晶パネルは、行列状に配列される複数の画素と、少なくとも２つ以上の行に配列された前記画素に同一のゲート信号を印加する複数のゲート線と、前記ゲート線と交差して形成されているデータ線と、前記ゲート線と前記データ線との交差点に形成される薄膜トランジスタとを含むことが好ましい。
この場合、一つのゲート信号で複数の画素に同一のゲート信号を印加するために、前記画素に前記同一のゲート信号を印加する前記複数のゲート線は互いに連結されることが好ましい。
前記同一のゲート信号が印加される前記画素の行数は３つであることが好ましい。
一つの前記画素には複数のデータ線が備えられることが好ましく、この場合、前記データ線は前記画素に同一のゲート信号が印加される前記画素の数だけ備えられることが好ましい。
一つの画素に相異なるデータ信号を印加するために、同一のゲート信号が印加される前記データ線の延長方向に隣接した前記画素は互いに異なるデータ線に連結されることが好ましい。
【０００９】
また、上記目的を達成するためになされた本発明によるディスプレイ装置は、行列状に配列される複数の画素と、少なくとも２つ以上の行に配列される前記画素に同一のゲート信号を印加する複数のゲート線と、前記ゲート線と交差して形成される複数のデータ線とを含む液晶パネルと、外部から入力される一つのフレームに該当する画像データを各色相別に分離し、分離された画像データを各色相別に順次に整列して複数のサブフレームを形成する画像データ整列部と、整列された各色相別画像データを前記サブフレーム別に前記画素に順次に印加するデータドライバと、前記液晶パネルに少なくとも２つ以上の互いに異なる色相の光を一つのフレームを周期で順次に供給する光源部とを有することを特徴とする。
【００１０】
上記目的を達成するためになされた本発明によるディスプレイ装置の制御方法は、外部から入力される一つのフレームに該当する画像データを各色相別に分離する段階と、分離された画像データを各色相別に順次に整列して保存する段階と、保存された画像データを各色相別に液晶パネルに順次に印加しながら、互いに異なる色相の光を一つのフレームを周期として順次に供給する段階とを有することを特徴とする。
【発明の効果】
【００１１】
本発明に係るディスプレイ装置及びその制御方法によれば、一つのフレームに該当する画像データは一対である２つのメモリに交互的に保存され、それぞれ交互に液晶パネルに印加される。一つのメモリにある画像データが液晶パネルに印加される場合、他のメモリに一つのフレームに該当する画像データが整列される。このようにすることによって、データ変換及びデータの走査が容易になるという効果がある。
それにより、画像データの最小限の変換でカラーシーケンシャルディスプレイ方式を適用することができるという効果がある。
【発明を実施するための最良の形態】
【００１２】
次に、本発明に係るディスプレイ装置及びその制御方法を実施するための最良の形態の具体例を図面を参照しながら説明する。
いろいろな実施形態において、同一の構成要素について同一の参照番号を付けており、同一の構成要素については第１実施形態で代表的に説明し、他の実施形態では省略され得る。
【００１３】
図１は本実施形態によるディスプレイ装置の概路図であり、図に示すように、本実施形態によるディスプレイ装置は、画像データ整列部１１０、一対の第１及び第２メモリ１２０、１３０及び液晶モジュール２００を含む。
液晶モジュール２００は、液晶パネル２１０と、液晶パネル２１０を駆動させるための駆動回路部とで構成され、駆動回路部は、ゲートドライバ２３０、データドライバ２４０、駆動電圧生成部２５０、階調電圧生成部２６０及びタイミングコントローラ２７０を含む。
【００１４】
まず、図３を参照して、本実施形態による液晶パネル２１０に形成されている信号線及び画素２１３についてより詳しく説明する。
図３を参照すれば、液晶パネル２１０は、複数のデータ線２１２ａ、２１２ｂ、２１２ｃ、データ線２１２ａ、２１２ｂ、２１２ｃと交差して行列状に配列された画素２１３を形成するゲート線２１１ａ、２１１ｂ、２１１ｃ、及びゲート線２１１ａ、２１１ｂ、２１１ｃとデータ線２１２ａ、２１２ｂ、２１２ｃとの交差地点に備えられている薄膜トランジスタ２１４を含む。また、各々のゲート線２１１ａ、２１１ｂ、２１１ｃ及びデータ線２１２ａ、２１２ｂ、２１２ｃは、ゲートドライバ２３０及びデータドライバ２４０を通じて制御信号及び画像データの印加を受ける。
【００１５】
画素２１３は行列状に配列されており、本実施形態では画素２１３と定義される部分が画素電極ＩＴＯからなっている。言い換えれば、本発明において画素２１３とは、一つのゲート線（２１１ａ〜ｃ）と３つのデータ線２１２ａ、２１２ｂ、２１２ｃとで定義される一つの正四角形を意味し、一つの色を表現するドット（ｄｏｔ）を称する。画素電極はこのような画素２１３を構成する物理的な透明電極を意味する。
３つのゲート線２１１ａ、２１１ｂ、２１１ｃはその一側端部が連結されており、ゲートドライバ２３０からゲート線に提供される一つのゲート信号は３つのゲート線２１１ａ、２１１ｂ、２１１ｃに同時に印加される。つまり、一つのゲート信号で３つのゲート線２１１ａ、２１１ｂ、２１１ｃを駆動させることができるので、一つのゲートオン時間の間に３つの行に該当する画素２１３を活性化させることができる。
【００１６】
本実施形態のように、ゲート線２１１ａ、２１１ｂ、２１１ｃの端部を３つずつ連結してゲート信号を印加するようにすれば、ゲートオン時間は従来のゲートオン時間の３倍となる。ゲートオン時間が増加することによって、画素２１３にデータ信号が印加されて充電できる時間が長くなるので、充電率が改善される。また、ゲート信号が印加される実質的なゲート線の数が１／３に減少するようになって、ゲートパッド部及びゲートドライバ２３０も１／３に節減することができる。
【００１７】
本実施形態において、端部が連結されたゲート線２１１の数は３つであるが、これは一つの例示に過ぎず、それ以上も可能である。なお、ディスプレイ装置の大型化、高周波数化により、ゲートオン時間の不足から発生する充電率改善に対する要求はますます増加している。ＣＳＤ駆動方式だけでなく、ブラック画面を生成するインパルシブ（ｉｍｐｕｌｓｉｖｅ）駆動の場合にも、使用者に見える秒当たりフレーム反復回数より２倍以上早くゲート線が駆動しなければならないので、複数のゲート線で一つのゲート信号を同時に印加することができる本発明の構成が適用できる。
【００１８】
データ線はゲート線と交差して行列状の画素２１３を形成し、同一のゲート信号が印加される一つの画素２１３にそれぞれ連結されている。一つの画素２１３はｄ１の長さを有する正四角形であり、３つのデータ線２１２ａ、２１２ｂ、２１２ｃのうちの２つのデータ線２１２ｂ、２１２ｃは、ｄ１の１／３ずつ区画する位置に配列されて画素２１３を通過し、残り一つ２１２ａは画素２１３の端に配置される。３つのデータ線２１２ａ、２１２ｂ、２１２ｃによって画素２１３の一辺は、約ｄ２の長さに区画される。
データ線の延長方向に隣接した画素２１３は３つのデータ線２１２ａ、２１２ｂ、２１２ｃと一つずつ連結されている。３つの行に配列された画素２１３に同一のゲート信号が印加されるので、データ線の延長方向に隣接した画素２１３に他のデータ信号を印加するために、上記のようなデータ線２１２ａ、２１２ｂ、２１２ｃの配列が必要である。
【００１９】
つまり、データ線の延長方向に隣接した画素２１３に同一のデータ信号が重複して印加されないようにするために、３つのゲート線２１１ａ、２１１ｂ、２１１ｃと３つのデータ線２１２ａ、２１２ｂ、２１２ｃとの交差点に位置した薄膜トランジスタ２１４のうちの一つずつを画素２１３に連結する。第１データ線２１２ａから伝達したデータ信号は第１ゲート線２１１ａによって駆動される第１行に備えられた画素２１３に印加され、第２データ線２１２ｂから伝達されたデータ信号は第２ゲート線２１１ｂによって駆動される第２行に備えられた画素２１３に印加され、第３データ線２１２ｃも第３ゲート線２１１ｃによって駆動される画素２１３に印加される。このような方式によって互いに異なるデータ信号が個別的な画素２１３に伝達される。
【００２０】
一つの画素２１３に備えられたデータ線の数は、ゲート線の延長方向に隣接した画素２１３に同一のゲート信号が印加される画素２１３の行数、すなわち、端部が連結されたゲート線の数に対応し、ゲート線が多く連結されるほど画素２１３に備えられるデータ線の数は多くなる。上述したように、３つ以上のゲート線の端部が連結することも可能である。
薄膜トランジスタ２１４は、ゲート線から印加されるゲート信号とデータ線から印加されるデータ信号とを画素２１３に伝達する。図３に示すように、列方向に配列された隣接した薄膜トランジスタ２１４は、互いに異なるデータ線２１２ａ、２１２ｂ、２１２ｃに連結されている。
【００２１】
再び、図１を参照すると、画像データ整列部１１０は、外部から入力される一つのフレームをに該当する画像データを各色相別に分離し、整列させる。画像データ整列部１１０から整列された画像データは、第１メモリ１２０及び第２メモリ１３０に保存される。
液晶表示装置のようなディスプレイ装置は画像の表示において、ゲート線の延長方向に隣接した画素行別に（ｌｉｎｅ  ｂｙ  ｌｉｎｅ）画像データを走査する。一つのフレームは、一つの行に該当する画素に対する複数の画像データがゲート線の数だけ集まって構成される。画像データ整列部１１０は、このように画素行の単位でＲＧＢが各々交じっている画像データを各色相別に分離し、整列させる。
【００２２】
画像データの整列については、図２を参照してさらに詳細に説明する。
図２の＜Ｉ＞は、画像データ整列部１１０に入力される画像データを各色相別に分離したものを表で示したものである。一つの色を表現する画素をドットと定義した時、従来の場合３つのサブピクセルが集まって一つのドットを形成した。従って、一つのフレームを形成するｎ×ｍのドットを表示するために、全て３ｎ×ｍのサブピクセルに対応する画像データが画像データ整列部１１０に入力される。
画像データ整列部１１０は、一つの行に該当する３ｎ個の画像データの中でＲＧＢ別に画像データを分離する。図示したように、１行に該当するＲＧＢ画像データは各色相別にｎ個の画像データに分離される。入力されたｍ行の画像データは、画像データ整列部１１０によって３ｍ行の画像データに分離される。入力される画像データの色相がＲＧＢの３個であるため、全て３ｍ行に分離されることであり、もし入力される画像データの色相が４個または６個であれば４ｍまたは６ｍ行に分離される。
【００２３】
このように分離された画像データは、図２の＜ＩＩ＞のように、第１または第２メモリ１２０、１３０に各色相別に順次に保存される。図示したように、＜Ｉ＞の１行に該当したＲＧＢ画像データは、第１、第２メモリ１２０、１３０全体を約３等分した地点にそれぞれ保存される。そして、２行に該当する画像データは、１行に該当する各色相別画像データの次の行に順次に保存される。このように一つのフレームは、全てのＲＧＢ各々の画像データで形成された３個のサブフレームで再形成される。
サブフレームの個数は入力される画像データの色相の数と同一であり、これは光源部が供給する光色相の個数と一致する。光源部が一つのフレームの間に提供する光色相の数だけ画像データ整列部１１０は入力される画像データを分離してサブフレームを形成し、特定色の画像データが液晶パネル２１０に印加されることに同期して画像データの色相に該当する光が提供される。
【００２４】
第１メモリ１２０及び第２メモリ１３０には、フレーム単位で画像データがそれぞれ交互に保存される。画像データ整列部１１０から分離し、整列されたデータが第１メモリ１２０に保存されている間に、第２メモリ１３０に保存されていた画像データは液晶パネル２１０に印加される。これは、一つのフレームに該当する画像データが液晶パネル２１０に全て印加された後、他のメモリに保存されている他のフレームに該当する画像データが読み込まれるということを意味する。これによって、液晶パネル２１０に一つのフレームを形成する間には画像データの変換及び処理が発生しないようになるので、画像が切れない。
また、一つのメモリを使用すれば、画像データを分離及び整列しながら同時に液晶パネル２１０に印加しなければならないため、データ処理速度が二倍以上に速くならなければならない。画像データ整列部１１０のデータ処理速度がこれに追い付くことができなければ、画像データが液晶パネル２１０に適切に印加できない問題点が発生し得るため、２つのメモリ（１２０、１３０）を用いる。従って、メモリの個数は２つに限定されず、一つのフレームを形成するデータの量または画像データ整列部１１０のデータ処理速度などによって可変的である。
【００２５】
ゲートドライバ２３０は、スキャン駆動部（ｓｃａｎ  ｄｒｉｖｅｒ）とも言い、ゲート線２１１（ａ〜ｃ）に連結されて駆動電圧生成部２５０からのゲートオン電圧Ｖｏｎとゲートオフ電圧Ｖｏｆｆとの組み合わせでなるゲート信号をゲート線２１１（ａ〜ｃ）に印加する。
データドライバ２４０はソース駆動部（ｓｏｕｒｃｅ  ｄｒｉｖｅｒ）とも言い、階調電圧生成部２６０から階調電圧が印加されて、タイミングコントローラ２７０の制御によって階調電圧を選択してデータ線２１２にＲＧＢ画像データ電圧を印加する。
【００２６】
複数のゲート駆動集積回路またはデータ駆動集積回路は、ＴＣＰ（ｔａｐｅ  ｃａｒｒｉｅｒ  ｐａｃｋａｇｅ；図示せず）に実装してＴＣＰを液晶パネル２１０に付着することもでき、ＴＣＰを使用せずにガラス基板上にこれら集積回路を直接付着することもでき（ｃｈｉｐ  ｏｎ  ｇｌａｓｓ：  ＣＯＧ実装方式）、これら集積回路のような機能を遂行する回路を液晶パネル２１０に直接実装することもできる。
【００２７】
駆動電圧生成部２５０は、薄膜トランジスタをターンオンさせるゲートオン電圧Ｖｏｎ、ターンオフさせるゲートオフ電圧Ｖｏｆｆ、及び共通電極（図示せず）に印加される共通電圧Ｖｃｏｍなどを生成する。
階調電圧生成部２６０は、ディスプレイ装置の輝度と係わる複数の階調電圧（ｇｒａｙ  ｓｃａｌｅ  ｖｏｌｔａｇｅ）を生成する。
【００２８】
タイミングコントローラ２７０は、ゲートドライバ２３０、データドライバ２４０、駆動電圧生成部２６０及び階調電圧生成部２７０などの動作を制御する制御信号を生成し、各ゲートドライバ２３０、データドライバ２４０、駆動電圧生成部２５０に供給する。
タイミングコントローラ２７０は、外部のグラフィック制御器（ｇｒａｐｈｉｃ  ｃｏｎｔｒｏｌｌｅｒ）からＲＧＢ３色画像データＲ、Ｇ、Ｂ及びこれらの表示を制御する制御入力信号（ｉｎｐｕｔ  ｃｏｎｔｒｏｌ  ｓｉｇｎａｌ）、例えば垂直同期信号（ｖｅｒｔｉｃａｌ  ｓｙｎｃｈｒｏｎｉｚｉｎｇ  ｓｉｇｎａｌ）Ｖｓｙｎｃと水平同期信号（ｈｏｒｉｚｏｎｔａｌ  ｓｙｎｃｈｒｏｎｉｚｉｎｇ  ｓｉｇｎａｌ）Ｈｓｙｎｃ、メインクロック（ｍａｉｎ  ｃｌｏｃｋ）ＭＣＬＫ、データイネーブル信号（ｄａｔａ  ｅｎａｂｌｅ  ｓｉｇｎａｌ）ＤＥなどが提供される。
タイミングコントローラ２７０は、制御入力信号に基づいてゲート制御信号ＣＯＮＴ１をゲートドライバ２３０と駆動電圧生成部２６０に送出し、画像データ整列部１１０から変換された画像データＲ’、Ｇ’、Ｂ’及びデータ制御信号ＣＯＮＴ２をデータドライバ２４０に送出する。
【００２９】
ゲート制御信号ＣＯＮＴ１は、ゲートオンパルス（ゲートオン電圧区間）の出力開始を指示する垂直同期開始信号（ｖｅｒｔｉｃａｌ  ｓｙｎｃｈｒｏｎｉｚａｔｉｏｎ  ｓｔａｒｔ  ｓｉｇｎａｌ）ＳＴＶ、ゲートオンパルスの出力時期を制御するゲートクロック信号ＣＰＶ、及びゲートオンパルスの幅を限定するゲートオンイネーブル信号（ｇａｔｅ  ｏｎ  ｅｎａｂｌｅ  ｓｉｇｎａｌ）ＯＥなどを含む。
データ制御信号ＣＯＮＴ２は、画像データＲ’、Ｇ’、Ｂ’の入力開始を指示する水平同期開始信号（ｈｏｒｉｚｏｎｔａｌ  ｓｙｎｃｈｒｏｎｉｚａｔｉｏｎ  ｓｔａｒｔ  ｓｉｇｎａｌ）ＳＴＨと、データ線２１２に該当データ電圧の印加を指示するロード信号（ｌｏａｄ  ｓｉｇｎａｌ）ＬＯＡＤまたはＴＰなどを含む。
【００３０】
まず、階調電圧生成部２６０は、電圧選択制御信号ＶＳＣによって決定された電圧値を有する階調電圧をデータドライバ２４０に供給する。
ゲートドライバ２３０は、タイミングコントローラ２７０からのゲート制御信号によってゲートオン電圧Ｖｏｎを順次にゲート線に印加し、ゲート線に連結された薄膜トランジスタをターンオンさせる。本実施形態によるゲート線は３つの端部が連結されているので、一つのゲートオン／オフ信号は３つのゲート線２１１ａ、２１１ｂ、２１１ｃに印加される。
これと同時に、データドライバ２４０は、タイミングコントローラ２７０からのデータ制御信号ＣＯＮＴ２によって、ターンオンされた薄膜トランジスタに連結されている画素２１３に対応する画像データＲ’、Ｇ’、Ｂ’が入力されて、階調電圧生成部２６０からの階調電圧のうちの各画像データＲ’、Ｇ’、Ｂ’に対応する階調電圧を選択することによって、画像データＲ’、Ｇ’、Ｂ’を該当データ電圧に変換する。
【００３１】
本実施形態による一つの画素２１３には３つのデータ線２１２ａ、２１２ｂ、２１２ｃが含まれているが、３つのデータ線２１２ａ、２１２ｂ、２１２ｃはデータ線の延長方向に隣接した相異なる画素２１３に連結されている。一つのゲート信号が印加されれば、３つのゲート線２１１ａ、２１１ｂ、２１１ｃに連結されている薄膜トランジスタ２１４がオンになるので、３つの行に該当する画像データが一度に印加される。
【００３２】
言い換えれば、図２の＜ＩＩ＞に示す３つの行に対応する画像データが一度に液晶パネル２１０に印加され、一つのフレームに該当する画像データのうちのＲサブフレーム、Ｇサブフレーム、Ｂサブフレームの順に印加される。一つのフレームに該当する画像データが印加されるうちに、光源部は各サブフレームに対応する色の光を提供し、言い換えれば、光源部は一つのフレームを周期として順次に他の色相の光を液晶パネル２１０に提供する。
データ線２１２に供給されたデータ信号は、ターンオンされた薄膜トランジスタを通じて該当画素２１３に印加される。このような方式によって、一つのフレーム（ｆｒａｍｅ）の間に全てのゲート線に対して順次にゲートオン電圧Ｖｏｎを印加し、全ての画素２１３にデータ信号を印加する。
【００３３】
次に、図４を参照して本実施形態による液晶表示装置の断面図について説明する。
図４を参照すると、ディスプレイ装置は、第１基板３１０、第２基板３３０、及び両基板（３１０、３３０）の間に注入されている液晶層３２０を含む液晶パネルと、液晶パネルの背面に位置して液晶パネルに光を提供する光源部５００と、光調節部材４００と、液晶パネルと光源部５００を支持、収容するシャーシ６００とを含む。
【００３４】
液晶パネルは、図２の画素２１３及び薄膜トランジスタ２１４が形成されている第１基板３１０と、第１基板３１０と対面していて、ブラックマトリックス、白色フィルタ及び共通電極を含む第２基板３３０と、両基板（３１０、３３０）を接合させ、セルギャップ（ｃｅｌｌ  ｇａｐ）を形成するシーラント（ｓｅａｌａｎｔ）と、両基板（３１０、３３０）とシーラントの間に位置する液晶層３２０とを含む。
【００３５】
液晶パネルは液晶層３２０の配列を調整して画面を形成するが、非発光素子であるため背面に位置したＬＥＤ５２０のような光源から光の供給を受けなければならない。第１基板３１０の一側には駆動信号印加のための駆動部が備えられている。駆動部は、可撓性印刷回路基板（ＦＰＣ）３４０、可撓性印刷回路基板３４０に装着されている駆動チップ３５０、及び可撓性印刷回路基板３４０の他側に連結されている回路基板（ＰＣＢ）３５０を含む。図示した駆動部は、ＣＯＦ（ｃｈｉｐ  ｏｎ  ｆｉｌｍ）方式を示したものであり、ＴＣＰ（Ｔａｐｅ  Ｃａｒｒｉｅｒ  Ｐａｃｋａｇｅ）、ＣＯＧ（Ｃｈｉｐ  Ｏｎ  Ｇｌａｓｓ）など公知の他の方式も可能である。また、駆動部が配線形成過程で第１基板３１０に形成されることも可能である。
【００３６】
液晶パネルの背面に位置する光調節部材４００は、拡散板４１０、プリズムフィルム４２０及び保護フィルム４３０を含むことができる。
拡散板４１０は、ベース板と、ベース板に形成された玉状のビーズを含むコーティング層とからなっている。拡散板４１０は、ＬＥＤ５２０から供給された光を拡散させて輝度を均一にする。
プリズムフィルム４２０は、上部面に三角柱状のプリズムが一定の配列を有して形成されている。プリズムフィルム４２０は、拡散板４１０で拡散した光を上部の液晶パネルの配置平面に垂直な方向に集光する役割を果たす。プリズムフィルム４２０は、通常、２枚が用いられ、各プリズムフィルム４２０に形成されたマイクロプリズムは所定の角度をなしている。プリズムフィルム４２０を通過した光はほとんど大部分垂直に進行され、均一な輝度分布を提供するようになる。必要に応じてプリズムフィルム４２０と共に反射偏光フィルムを用いることができ、プリズムフィルム４２０なしに反射偏光フィルムのみを用いることも可能である。
最も上部に位置する保護フィルム４３０は、スクラッチに弱いプリズムフィルム３２を保護する。
【００３７】
ＬＥＤ５２０が実装されているＬＥＤ回路基板５１０上には反射板５３０が備えられている。反射板５３０にはＬＥＤ５２０の配置に対応するＬＥＤ収容孔が形成されている。
ＬＥＤ５２０は光を発生させるチップ（図示せず）をはじめとした大部分が、反射板５３０より高く位置する。反射板５３０は下部に入射する光を反射させて拡散板４１０に供給する役割を果たす。反射板５３０は、ポリエチレンテレフタレート（ＰＥＴ）やポリカーボネート（ＰＣ）からなることができ、銀やアルミニウムがコーティングされていることもできる。また、反射板５３０は、ＬＥＤ５２０により発生する熱によって歪みが生じないように、多少厚く備えられることができる。
【００３８】
ＬＥＤ５２０はＬＥＤ回路基板５１０に実装されており、液晶パネルの背面全体にわたって配置されている。ＬＥＤ５２０は、３色光を出す赤色ＬＥＤ、青色ＬＥＤ及び緑色ＬＥＤの集合で構成されており、３色光を一つのフレームを周期で順次に液晶パネルに供給する。ＬＥＤ５２０が提供する光の色相は、シアン、マゼンタ及びイエローでもあり得、これを含む他の光の組み合わせも可能である。
光源部５００は、本実施形態による液晶表示装置のように、液晶パネルの下で光を提供する直下型であることもでき、液晶パネルの側面で光を提供するエッジ型も可能である。
【００３９】
尚、本発明は、上述の実施形態に限られるものではない。本発明の技術的範囲から逸脱しない範囲内で多様に変更実施することが可能である。
【図面の簡単な説明】
【００４０】
【図１】本発明の一実施形態によるディスプレイ装置の概路図である。
【図２】本発明の一実施形態による画像データの整列を説明するための図面である。
【図３】本発明の一実施形態による液晶パネルに形成されている信号線及び画素を説明するための図面である。
【図４】本発明の一実施形態によるディスプレイ装置の断面図である。
【符号の説明】
【００４１】
１１０        画像データ整列部
１２０、１３０    （第１、第２）メモリ
２００        液晶モジュール
２１０        液晶パネル
２３０        ゲートドライバ
２４０        データドライバ
２５０        駆動電圧生成部
２６０        階調電圧生成部
２７０        タイミングコントローラ
２１１、２１２    信号線
２１３        画素
２１１ａ、２１１ｂ、２１１ｃ    ゲート線
２１２、２１２ａ、２１２ｂ、２１２ｃ    データ線
３１０、３３０    （第１、第２）基板
３２０        液晶層
４００        光調節部材
４１０        拡散板
４２０        プリズムフィルム
４３０        保護フィルム
５００        光源部
５１０        ＬＥＤ回路基板
５２０        ＬＥＤ
５３０        反射板
６００        シャーシ
【図１】
2007079566.tif 000003
【図２】
2007079566.tif 000004
【図３】
2007079566.tif 000005
【図４】
2007079566.tif 000006